(57)【要約】【課題】パーソナルコンピュータの操作状態から人の有無を判断し、室内機の運転を制御することにより、省エネ性を図ることができる空気調和装置を得る。【解決手段】圧縮機１、熱源機側熱交換器３及びアキュムレータ８を有する熱源機Ａと、利用側熱交換器６及び流量調整器５を有する室内機Ｂとを備え、室内機Ｂが設置された部屋内に設けられたパーソナルコンピュータの操作状態によって人の有無を検知し、パーソナルコンピュータが人によって操作されていない場合は室内機Ｂの運転の有無を判断して室内機Ｂの運転を維持するか否かを判断し、パーソナルコンピュータが人によって操作されている場合は室内温度と室内温度設定値との温度差によって室内機Ｂの運転を維持するか否か判断することによって、室内機Ｂの運転を制御するようにした。【選択図】    図２
2006275468.tif 000002
【特許請求の範囲】
【請求項１】
圧縮機、熱源機側熱交換器及びアキュムレータを有する熱源機と、利用側熱交換器及び流量調整器を有する室内機とを備え、
前記室内機が設置された部屋内に設けられたパーソナルコンピュータの操作状態によって人の有無を検知し、前記パーソナルコンピュータが人によって操作されていない場合は前記室内機の運転の有無を判断して該室内機の運転を維持するか否かを判断し、前記パーソナルコンピュータが人によって操作されている場合は室内温度と室内温度設定値との温度差によって前記室内機の運転を維持するか否か判断することによって、前記室内機の運転を制御するようにしたことを特徴とする空気調和装置。
【請求項２】
圧縮機、熱源機側熱交換器及びアキュムレータを有する熱源機と、利用側熱交換器及び流量調整器を有する複数の室内機とを備え、
前記複数の室内機が設置された部屋内に設けられたパーソナルコンピュータの操作状態によって人の有無を検知し、前記パーソナルコンピュータが人によって操作されていない場合は前記室内機の運転の有無を判断して該室内機の運転を維持するか否かを判断し、前記パーソナルコンピュータが人によって操作されている場合は対象となる室内機を決定し、室内温度と室内温度設定値との温度差によって前記対象となる室内機の運転を維持するか否か判断することによって、前記複数の室内機の運転を制御するようにしたことを特徴とする空気調和装置。
【請求項３】
圧縮機、熱源機側熱交換器及びアキュムレータを有する熱源機と、利用側熱交換器及び流量調整器を有する室内機とを備え、
前記室内機が設置された部屋内に設けられた座席に取り付けたセンサによって人の有無を検知し、前記センサが人を検知していない場合は前記室内機の運転の有無を判断して該室内機の運転を維持するか否かを判断し、前記センサが人を検知している場合は室内温度と室内温度設定値との温度差によって前記室内機の運転を維持するか否か判断することによって、前記室内機の運転を制御するようにしたことを特徴とする空気調和装置。
【請求項４】
圧縮機、熱源機側熱交換器及びアキュムレータを有する熱源機と、利用側熱交換器及び流量調整器を有する複数の室内機とを備え、
前記複数の室内機が設置された部屋内に設けられた座席に取り付けたセンサによって人の有無を検知し、前記センサが人を検知していない場合は前記室内機の運転の有無を判断して該室内機の運転を維持するか否かを判断し、前記センサが人を検知している場合は対象となる室内機を決定し、室内温度と室内温度設定値との温度差によって前記対象となる室内機の運転を維持するか否か判断することによって、前記複数の室内機の運転を制御するようにしたことを特徴とする空気調和装置。
【請求項５】
冷房運転の場合は、室内温度と室内温度設定値との温度差が正の場合は前記室内機の運転を維持させ、前記温度差が正以外の場合は前記室内機の運転を停止させることを特徴とする請求項１〜４のいずれかに記載の空気調和装置。
【請求項６】
暖房運転の場合は、室内温度と室内温度設定値との温度差が正の場合は前記室内機の運転を停止させ、前記温度差が正以外の場合は前記室内機の運転を維持させることを特徴とする請求項１〜４のいずれかに記載の空気調和装置。
【発明の詳細な説明】
【技術分野】
【０００１】
本発明は、空気調和装置に係り、さらに詳しくは、パーソナルコンピュータの操作状態もしくは座席に具備されたセンサから人の有無または位置を判断して、室内機の運転の有無を判断する空気調和装置に関するものである。
【背景技術】
【０００２】
室内の温度を制御する空気調和装置は、使用者がリモートコントローラによって、冷房運転あるいは暖房運転の設定温度等の指定情報を入力し、室内温度センサで検出された室内温度と設定温度との差により、指定された運転制御を行っていた。また、集中管理等の上位システムにあらかじめ設定された運転を行っていた。このように、リモートコントローラ等により指定された運転制御を行っていたため、人が不在の場合でも冷房運転または暖房運転を継続してしまい、ランニングコストが多大となり、余分なコストが発生し、省エネルギー性が十分ではなかった。また、運転時間が長くなることから、機器や部品の劣化が促進されてしまう。
このような空気調和装置に、使用者による操作スイッチの操作回数を少なくして省エネルギーの空調環境を得るようにしたものがある（例えば、特許文献１参照）。
【０００３】
【特許文献１】特開２０００−２５７９３９号公報（第２頁−第３頁、図１）
【発明の開示】
【発明が解決しようとする課題】
【０００４】
特許文献１記載の空気調和装置では、快適環境を維持するために、人の有無に関わらず運転を継続するので、使用者に余分なコスト負担が生じるという問題があった。
【０００５】
本発明は、上記のような課題を解決するためになされたもので、パーソナルコンピュータの操作状態から人の有無もしくは位置を判断し、室内機の運転を制御することにより、省エネルギー性を図ることができる空気調和装置を得ることを目的とする。
また、座席に具備されたセンサから人の有無もしくは位置を判断し、室内機の運転を制御することにより、省エネルギー性を図ることができる空気調和装置を得ることを目的とする。
【課題を解決するための手段】
【０００６】
本発明に係る空気調和装置は、圧縮機、熱源機側熱交換器及びアキュムレータを有する熱源機と、利用側熱交換器及び流量調整器を有する室内機とを備え、室内機が設置された部屋内に設けられたパーソナルコンピュータの操作状態によって人の有無を検知し、パーソナルコンピュータが人によって操作されていない場合は室内機の運転の有無を判断して室内機の運転を維持するか否かを判断し、パーソナルコンピュータが人によって操作されている場合は室内温度と室内温度設定値との温度差によって室内機の運転を維持するか否か判断することによって、室内機の運転を制御するようにしたものである。
【発明の効果】
【０００７】
本発明の空気調和装置は、利用側熱交換器と流量調整器を有する室内機において、パソコンの操作状態等から人の有無を判断して室内機の運転を制御するようにしたので、快適環境を損なうことなく、省エネルギー化が図れるとともに、ランニングコストを低減することができる。また、機器や部品の寿命を長く維持することができる。
【発明を実施するための最良の形態】
【０００８】
実施の形態１．
図１は本発明の実施の形態１に係る空気調和装置の冷媒回路図、図２は図１の空気調和装置の運転動作を示すフローチャートである。
図１に示すように、空気調和装置は、熱源機Ａ及び室内機Ｂによって構成されている。
熱源機Ａは、圧縮機１、四方弁２、熱源機側（室外側）熱交換器３、第１の操作弁４、第２の操作弁７及びアキュムレータ８を備えている。アキュムレータ８のＵ字管状の流出配管の下部には、返油穴８ａが設けられている。
室内機Ｂは、流量調整器５及び利用側（室内側）熱交換器６を備えている。また、室内機Ｂには室内温度検知手段ＴＢが設けられており、この室内温度検知手段ＴＢと、室内機Ｂが設置された部屋内のパーソナルコンピュータの操作状態から、空気調和装置を制御するようになっている。
【０００９】
この空気調和装置の冷媒の流れを、図１によって説明する。図中、実線矢印が冷房運転の流れを示し、破線矢印が暖房運転の流れを示している。
まず、冷房運転における冷媒の流れを説明する。圧縮機１で圧縮された高温高圧のガス冷媒は、四方弁２を経て熱源機側熱交換器３へと流入し、ここで空気、水などの熱源媒体と熱交換して凝縮液化する。凝縮液化した冷媒は、第１の操作弁４を経て流量調整器５へ流入し、ここで低圧まで減圧されて低圧二相状態となり、利用側熱交換器６において空気などの利用媒体と熱交換して、蒸発、ガス化する。蒸発、ガス化した冷媒は、第２の操作弁７、四方弁２、アキュムレータ８を経て、圧縮機１に戻る。
【００１０】
次に、暖房運転における冷媒の流れを説明する。圧縮機１で圧縮された高温高圧のガス冷媒は、四方弁２、第２の操作弁７、利用側熱交換器６へと流入し、ここで空気などの利用側媒体と熱交換して凝縮液化する。凝縮液化した冷媒は流量調整器５へ流入し、ここで低圧まで減圧されて低圧二相状態となり、第１の操作弁４を経て、熱源側熱交換器３で空気、水などの熱源媒体と熱交換して、蒸発、ガス化する。蒸発、ガス化した冷媒は、四方弁２、アキュムレータ８を経て、圧縮機１に戻る。
【００１１】
次に、空気調和装置の運転動作を図２のフローチャートを用いて説明する。図２において、まず使用者がリモートコントローラにより、運転モード設定スイッチ（図示せず）を操作して、冷房運転または暖房運転のいずれかの運転モードを設定し（ステップＳ−１）、室温設定スイッチ（図示せず）を操作して、目標の室温を設定する（ステップＳ−２）。その後、パーソナルコンピュータ操作の有無により、人の有無を検知する（ステップＳ−３）。すなわち、パソコン操作状態、例えばマウスが動作しているか等により、室内に人がいるのかどうかを検知する。
【００１２】
パーソナルコンピュータの操作がない場合は、室内機Ｂ運転の有無を確認し（ステップＳ−４）、室内機Ｂが運転状態にあるときは室内機Ｂの運転を停止する（ステップＳ−５）。室内機Ｂが運転状態にないときは、ステップＳ−３に戻り、パーソナルコンピュータ操作の有無を確認する。
【００１３】
パーソナルコンピュータの操作がある場合は、室内機Ｂに設けられた室内温度検知手段ＴＢにより検知された吸込空気温度Ｔ１と、目標の室温設定温度Ｔとの温度差ΔＴにより、室内機Ｂの運転を維持させるか否かを判断する（ステップＳ−６）。冷房運転の場合は、ΔＴが正の場合は室内機Ｂの運転を維持させ（ステップＳ−７）、ΔＴが正以外の場合は室内機Ｂの運転を停止させる（ステップＳ−５）。一方、暖房運転の場合は、ΔＴが正の場合は室内機Ｂの運転を停止させ（ステップＳ−５）、ΔＴが正以外の場合は室内機Ｂの運転を維持させる（ステップＳ−７）。
【００１４】
以上のように、パーソナルコンピュータの操作の有無により、高価な部品を用いず、容易に人の有無を判断できる。このような検出手段により、快適性を失うことなく、省エネルギー化を図ることができる。
【００１５】
なお、本実施の形態１では、室内機Ｂが並列に複数台接続された冷凍サイクル装置であってもよい。また、熱源側熱交換器３と直列または並列に氷蓄熱槽や水蓄熱槽（湯を含む）が設置されていてもよい。さらに、熱源機Ａが複数台並列に接続された冷凍サイクル装置であってもよい（以下、同様）。これらいずれの場合においても、先と同様の効果を示す。
【００１６】
実施の形態２．
図３は本発明の実施の形態２に係る空気調和装置の運転動作を示すフローチャートである。本実施の形態２では、実施の形態１に示す室内機Ｂが複数台設置されており、そのうちの対象となる室内機を決定して動作させる場合について説明する。なお、実施の形態１で説明した部分と同一部分には同じ符号を付し、説明を省略する。
図３において、まず使用者がリモートコントローラにより、運転モード設定スイッチ（図示せず）を操作して、冷房運転または暖房運転のいずれかの運転モードを設定し（ステップＳ−１）、室温設定スイッチ（図示せず）を操作して、目標の室温を設定する（ステップＳ−２）。その後、パーソナルコンピュータ操作の有無により、空調対象エリア（室内）の人の位置を検知する（ステップＳ−３）。
【００１７】
パーソナルコンピュータの操作がない場合は、室内機Ｂの運転の有無を確認し（ステップＳ−４）、室内機Ｂが運転状態にあるときは室内機Ｂの運転を停止する（ステップＳ−５）。室内機Ｂが運転状態にないときは、ステップＳ−３に戻る。
【００１８】
パーソナルコンピュータの操作がある場合は、対象となる室内機を特定する（ステップＳ−３ａ）。対象となる室内機に設けられた室内温度検知手段ＴＢにより検知された吸込空気温度Ｔ１と、目標の室温設定温度Ｔとの温度差ΔＴにより、対象となる室内機の運転を維持させるか否かを判断する（ステップＳ−６）。冷房運転の場合は、ΔＴが正の場合は対象となる室内機の運転を維持させ（ステップＳ−７）、ΔＴが正以外の場合は対象となる室内機の運転を停止させる（ステップＳ−５）。一方、暖房運転の場合は、ΔＴが正の場合は対象となる室内機の運転を停止させ（ステップＳ−５）、ΔＴが正以外の場合は対象となる室内機の運転を維持させる（ステップＳ−７）。
【００１９】
以上のように、パーソナルコンピュータ操作の有無により、高価な部品を用いず、容易に人の位置を判断できる。このような検出手段により、最低限必要な室内機のみを運転するため、省エネルギー化を図ることができる。
【００２０】
実施の形態３．
図４は本発明の実施の形態３に係る空気調和装置の運転動作を示すフローチャートである。本実施の形態３では、室内温度検知手段ＴＢにより検知された吸込空気温度Ｔ１と、室内機Ｂが設置された部屋内の座席センサの検知状態から、空気調和装置を制御する。なお、実施の形態１で説明した部分と同一部分には同じ符号を付し、説明を省略する。
図４において、まず使用者がリモートコントローラにより、運転モード設定スイッチ（図示せず）を操作して冷房運転または暖房運転のいずれかの運転モードを設定し（ステップＳ−１）、室温設定スイッチ（図示せず）を操作して、目標の室温を設定する（ステップＳ−２）。その後、座席に設けられたセンサによって、人の有無を検知する（ステップＳ−３０）。
【００２１】
座席センサによる検知がない場合は、室内機Ｂ運転の有無を確認し（ステップＳ−４）、室内機Ｂが運転状態にあるときは室内機Ｂの運転を停止する（ステップＳ−５）。室内機Ｂが運転状態にないときは、ステップＳ−３０に戻る。
【００２２】
座席センサによる検知がある場合は、室内機Ｂに設けられた室内温度検知手段ＴＢにより検知された吸込空気温度Ｔ１と、目標の室温設定温度Ｔとの温度差ΔＴにより、室内機Ｂの運転を維持させるか否かを判断する（ステップＳ−６）。冷房運転の場合は、ΔＴが正の場合は室内機Ｂの運転を維持させ（ステップＳ−７）、ΔＴが正以外の場合は室内機Ｂの運転を停止させる（ステップＳ−５）。一方、暖房運転の場合は、ΔＴが正の場合は室内機Ｂの運転を停止させ（ステップＳ−５）、ΔＴが正以外の場合は室内機Ｂの運転を維持させる（ステップＳ−７）。
【００２３】
以上のように、座席に設けられたセンサにより、容易に人の有無を判断できる。このような検出手段により、快適性を失うことなく、省エネルギー化を図ることができる。
【００２４】
実施の形態４．
図５は本発明の実施の形態４に係る空気調和装置の運転動作を示すフローチャートである。本実施の形態４では、実施の形態３に示す室内機Ｂが複数台設置されており、そのうちの対象となる室内機を決定して動作させる場合について説明する。なお、実施の形態１で説明した部分と同一部分には同じ符号を付し、説明を省略する。
図５において、まず使用者がリモートコントローラにより、運転モード設定スイッチ（図示せず）を操作して、冷房運転または暖房運転のいずれかの運転モードを設定し（ステップＳ−１）、室温設定スイッチ（図示せず）を操作して、目標の室温を設定する（ステップＳ−２）。その後、座席設けられたセンサによって、空調対象エリア（室内）の人の位置を検知する（ステップＳ−３０）。
【００２５】
座席センサによる検知がない場合は、室内機Ｂの運転の有無を確認し（ステップＳ−４）、室内機Ｂが運転状態にあるときは室内機Ｂの運転を停止する（ステップＳ−５）。室内機Ｂが運転状態にないときは、ステップＳ−３０に戻る。
【００２６】
座席センサによる検知がある場合は、対象となる室内機を特定する（ステップＳ−３０ａ）。対象となる室内機に設けられた室内温度検知手段ＴＢにより検知された吸込空気温度Ｔ１と、目標の室温設定温度Ｔとの温度差ΔＴにより、対象となる室内機Ｂの運転を維持させるか否かを判断する（ステップＳ−６）。冷房運転の場合は、ΔＴが正の場合は対象となる室内機の運転を維持させ（ステップＳ−７）、ΔＴが正以外の場合は対象となる室内機の運転を停止させる（ステップＳ−５）。一方、暖房運転の場合は、ΔＴが正の場合は対象となる室内機の運転を停止させ（ステップＳ−５）、ΔＴが正以外の場合は対象となる室内機の運転を維持させる（ステップＳ−７）。
【００２７】
以上のように、座席に設けられたセンサにより、容易に人の位置を判断できる。このような検出手段により、最低限必要な室内機のみ運転するため、省エネルギー化を図ることができる。
【図面の簡単な説明】
【００２８】
【図１】本発明の実施の形態１に係る空気調和装置の冷媒回路図である。
【図２】図１の空気調和装置の運転動作を示すフローチャートである。
【図３】本発明の実施の形態２に係る空気調和装置の運転動作を示すフローチャートである。
【図４】本発明の実施の形態３に係る空気調和装置の運転動作を示すフローチャートである。
【図５】本発明の実施の形態４に係る空気調和装置の運転動作を示すフローチャートである。
【符号の説明】
【００２９】
１  圧縮機、 ２  四方弁、 ３  熱源機側熱交換器、４  第１の操作弁、５  流量調整器、６  利用側熱交換器、７  第２の操作弁、８  アキュムレータ、ＴＢ  室内温度検知手段、Ａ  熱源機、Ｂ  室内機。
【図１】
2006275468.tif 000003
【図２】
2006275468.tif 000004
【図３】
2006275468.tif 000005
【図４】
2006275468.tif 000006
【図５】
2006275468.tif 000007